(57)【特許請求の範囲】
【請求項１】
基地局装置と移動局装置とが、複数のセルから選択された少なくとも第１のセル及び第２のセルを使用する通信を行なう通信システムであって、
前記基地局装置は、
前記移動局装置によって実施される受信品質の比較処理であって、前記第２のセルと同じ周波数のセルである測定対象のセルのそれぞれに対して使用されるイベントトリガ条件および前記イベントトリガ条件の評価に用いるパラメータを前記移動局装置に通知する送信部を備え、
前記移動局装置は、
前記イベントトリガ条件および前記パラメータを受信する受信部と、
前記測定対象のセルのそれぞれが前記イベントトリガ条件の評価の対象となるセルか否かを判定するセル判定部と、
前記イベントトリガ条件を評価するイベント判定部と、を備え、
前記セル判定部は、前記測定対象のセルが前記通信に使用されているセルである場合に、前記測定対象のセルを前記イベントトリガ条件の評価の対象外と判定することを特徴とする通信システム。
【請求項２】
基地局装置と移動局装置とが、複数のセルから選択された少なくとも第１のセル及び第２のセルを使用する通信を行なう通信システムに適用される移動局装置であって、
前記移動局装置によって実施される受信品質の比較処理であって、前記第２のセルと同じ周波数のセルである測定対象のセルのそれぞれに対して使用されるイベントトリガ条件および前記イベントトリガ条件の評価に用いるパラメータを受信する受信部と、
前記測定対象のセルのそれぞれが前記イベントトリガ条件の評価の対象となるセルか否かを判定するセル判定部と、
前記イベントトリガ条件を評価するイベント判定部と、を備え、
前記セル判定部は、前記測定対象のセルが前記通信に使用されているセルである場合に、前記測定対象のセルを前記イベントトリガ条件の評価の対象外と判定することを特徴とする移動局装置。
【請求項３】
基地局装置と移動局装置とが、複数のセルから選択された少なくとも第１のセル及び第２のセルを使用する通信を行なう通信システムに適用される移動局装置の集積回路であって、
前記移動局装置によって実施される受信品質の比較処理であって、前記第２のセルと同じ周波数のセルである測定対象のセルのそれぞれに対して使用されるイベントトリガ条件および前記イベントトリガ条件の評価に用いるパラメータを受信し、
前記測定対象のセルのそれぞれが前記イベントトリガ条件の評価の対象となるセルか否かを判定し、
前記イベントトリガ条件を評価するイベント判定を行い、
前記測定対象のセルが前記通信に使用されているセルである場合に、前記測定対象のセルを前記イベントトリガ条件の評価の対象外と判定することを特徴とする移動局装置の集積回路。
【請求項４】
基地局装置と移動局装置とが、複数のセルから選択された少なくとも第１のセル及び第２のセルを使用する通信を行なう通信システムに適用される移動局装置における通信方法であって、
前記移動局装置は、
前記移動局装置によって実施される受信品質の比較処理であって、前記第２のセルと同じ周波数のセルである測定対象のセルのそれぞれに対して使用されるイベントトリガ条件および前記イベントトリガ条件の評価に用いるパラメータを受信し、
前記測定対象のセルのそれぞれが前記イベントトリガ条件の評価の対象となるセルか否かを判定し、
前記イベントトリガ条件を評価するイベント判定を行い、
前記測定対象のセルが前記通信に使用されているセルである場合に、前記測定対象のセルを前記イベントトリガ条件の評価の対象外と判定することを特徴とする通信方法。
【発明の詳細な説明】
【技術分野】
【０００１】
本発明は、移動局装置が周波数帯域を同時に複数用いて基地局装置と接続される通信システムに関し、特に移動局装置および基地局装置の周波数帯域の受信品質の測定に関するイベント判定方法に関する。
【背景技術】
【０００２】
通信ネットワークの規格制定プロジェクトの一つである３ＧＰＰ（3rd Generation Partnership Project）において第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称
する）、更にその発展形であるＡｄｖａｎｃｅｄ  ＥＵＴＲＡ（LTE-Advancedとも呼ばれる）の検討が進められている。
【０００３】
Ａｄｖａｎｃｅｄ  ＥＵＴＲＡでは、ＥＵＴＲＡとの互換性を維持しつつ、より高速なデータ伝送が可能な技術として、キャリア・アグリゲーション（Carrier Aggregation）
が提案されている（非特許文献１、５章）。キャリア・アグリゲーションとは、送信装置が受信装置へ複数の異なる周波数帯域（Component Carrier（コンポーネントキャリア、
キャリア要素、または要素キャリアとも呼ばれる））でデータを送信し、複数の異なる周波数帯域を仮想的に一つの周波数帯域とみなすことによって、広帯域な通信を実現する技術である。
【０００４】
通信システムにおける接続状態（Ｃｏｎｎｅｃｔｅｄ  Ｍｏｄｅ）の移動局装置は、基地局装置から送信される信号の受信品質を測定し、現在接続中の基地局装置よりも品質が良好な基地局装置へ通信を順次切り替えるために、ハンドオーバー手順を行なう必要がある。そのため、Ａｄｖａｎｃｅｄ  ＥＵＴＲＡの移動局装置（以後、単に移動局装置と称する）は、ハンドオーバーのために複数のコンポーネントキャリアの受信品質を測定し、その受信品質をそれぞれ比較する必要がある。ハンドオーバーは、事前に基地局装置より所定のイベント条件（Measurement Reporting Event（イベントトリガ条件、または測定
報告条件）と前記イベント条件に用いるパラメータ（Event Triggered reporting criteria（イベントトリガ基準））が移動局装置に通知され、通知されたイベント条件が成立したか否かの判定（イベント判定）を移動局装置が行ない、イベント判定の結果、イベント条件が成立したと移動局装置が判定したときに、イベント条件の成立を報告された基地局装置の指示により開始される（例えば非特許文献２、１０．１．２節）。非特許文献３にあるように、イベント判定はキャリア要素毎に行なわれることが検討されている。
【先行技術文献】
【非特許文献】
【０００５】
【非特許文献１】3GPP TR36.814,Further Advancements for E-UTRA、Physical Layer Aspects.V1.0.0;http://www.3gpp.org/ftp/Specs/html-info/36814.htm
【非特許文献２】3GPP TS36.300,V9.0.0(2009-06),Overall discription;Stage2http://www.3gpp.org/ftp/Specs/html-info/36300.htm
【非特許文献３】R2-093108、Huawei,3GPP TSG-RAN WG2#66,May 4-8,2009,San Francisco,USA
【発明の概要】
【発明が解決しようとする課題】
【０００６】
従来から知られている通信システムで移動局装置が複数の周波数帯域を測定する場合
、その目的は異周波数ハンドオーバーのための異周波数測定とみなされる。しかしながら、複数の周波数帯域を用いて基地局装置と移動局装置が接続可能なＡｄｖａｎｃｅｄ  ＥＵＴＲＡの場合、移動局装置が複数の周波数測定を行なっていても、それは必ずしも異周波数ハンドオーバーのための測定とは限らない。特に、移動局装置がＡｄｖａｎｃｅｄ  ＥＵＴＲＡの基地局装置（以後、単に基地局装置と称する）との接続に使用されている複数の周波数帯域間の受信品質を比較するための測定は、異周波数ハンドオーバーとは無関係であり、その場合に移動局装置はハンドオーバーに関するイベント判定を行なうべきではない。このように、移動局装置がキャリア・アグリゲーションによって複数の周波数帯域を用いて基地局装置に接続される通信システムにおいて、従来とは異なる新たなイベント判定方法を考慮する必要がある。
【０００７】
本発明は、上記の課題を鑑みてなされたものであり、移動局装置が相互に異なる周波数帯域を同時に複数用いて基地局装置と接続される通信システムにおいて、周波数帯域の受信品質の測定に関するイベントを効率的に判定可能な通信システム、移動局装置、基地局装置、通信方法および集積回路を提供すること目的とする。
【課題を解決するための手段】
【０００８】
（１）上記の目的を達成するために、本発明は、以下のような手段を講じた。すなわち、本発明の通信システムは、基地局装置と移動局装置とが、相互に異なる周波数帯域で定められる複数のキャリア要素を同時に使用して通信を行なう通信システムであって、前記基地局装置は、前記移動局装置が少なくとも一つの前記キャリア要素の受信品質を測定するためのイベント条件および前記イベント条件が成立したか否かの判定に用いるパラメータを前記移動局装置に通知する送信部を備え、前記移動局装置は、前記イベント条件および前記パラメータを受信する受信部と、少なくとも一つの前記キャリア要素の受信品質を測定する測定処理部と、前記受信したパラメータを調整するか否かを判定するセル判定部と、前記受信したパラメータまたは調整後のパラメータに基づいて前記イベント条件を設定し、前記設定したイベント条件が成立したか否かを判定するイベント判定部と、を備えることを特徴とする。
【０００９】
このように、受信したパラメータを調整するか否かを判定し、受信したパラメータまたは調整後のパラメータに基づいて、イベント条件を設定し、設定したイベント条件が成立したか否かを判定するので、移動局装置は、測定しているキャリア要素毎にイベント条件を設定してイベント判定を行なうことができ、効率的なイベント判定を行なうことができる。移動局装置がパラメータ調整を行なう場合はイベント条件の成立が通常時よりも抑制される。このように、不必要なイベント条件が成立しなくなり、イベント情報の報告の発生が抑制されるため、移動局装置における消費電力を削減することができる。また、不要なハンドオーバー処理に伴う通信の切断確率ならびにハンドオーバー失敗確率が低下するため、移動局装置における通信品質が向上する。また、イベント情報の報告のための無線リソースの消費が抑制されるため、無線リソースの利用効率が向上する。基地局装置は、移動局装置からの測定報告に基づきハンドオーバーを制御するため、複雑な制御が不要となり、スケジューリングの複雑性が低減する。
【００１０】
（２）また、本発明の通信システムにおいて、前記セル判定部は、前記測定処理部で受信品質を測定する複数のキャリア要素が、前記基地局装置への接続に使用されている場合に、前記受信したパラメータを調整すると判定することを特徴とする。
【００１１】
このように、受信品質を測定する複数のキャリア要素が、基地局装置への接続に使用されている場合に、受信したパラメータを調整するので、イベント条件の成立が当該キャリア要素では抑制されることになる。
【００１２】
（３）また、本発明の通信システムにおいて、前記セル判定部は、前記測定処理部で受信品質を測定する複数のキャリア要素が、前記測定処理部における受信品質の測定の基準となる基準セルではない場合に、前記受信したパラメータを調整すると判定することを特徴とする。
【００１３】
このように、受信品質を測定する複数のキャリア要素が、測定処理部における受信品質の測定の基準となる基準セルではない場合に、受信したパラメータを調整するので、基準セルを用いることによって測定方法の簡略化が可能となり、移動局装置または基地局装置の制御の複雑さを低減できる。さらに、イベント条件の成立が当該キャリア要素では抑制されることになる。
【００１４】
（４）また、本発明の通信システムにおいて、前記イベント判定部は、前記セル判定部が前記受信したパラメータを調整すると判定したキャリア要素に対して、前記イベント条件が成立するまでの所要時間が、前記受信したパラメータの調整前よりも長くなるように前記受信したパラメータを調整して、前記設定したイベント条件が成立したか否かを判定することを特徴とする。
【００１５】
このように、イベント条件が成立するまでの所要時間が、受信したパラメータの調整前よりも長くなるように受信したパラメータを調整して、設定したイベント条件が成立したか否かを判定するので、イベント条件の成立が当該キャリア要素では抑制されることになる。
【００１６】
（５）また、本発明の通信システムにおいて、前記イベント判定部は、前記移動局装置が高速移動中である場合に、前記セル判定部が前記受信したパラメータを調整すると判定したキャリア要素に対して、前記イベント条件が成立するまでの時間調整に用いられるスケーリング係数を無効として、前記設定したイベント条件が成立したか否かを判定することを特徴とする。
【００１７】
このように、受信したパラメータを調整すると判定したキャリア要素に対して、イベント条件が成立するまでの時間調整に用いられるスケーリング係数を無効として、設定したイベント条件が成立したか否かを判定するので、イベント条件の成立が当該キャリア要素では抑制されることになる。
【００１８】
（６）また、本発明の通信システムにおいて、前記イベント判定部は、前記セル判定部が前記受信したパラメータを調整すると判定したキャリア要素において、前記イベント条件の成立が抑制されるように前記受信したパラメータの調整を行なうことを特徴とする。
【００１９】
このように、受信したパラメータを調整すると判定したキャリア要素において、イベント条件の成立が抑制されるように受信したパラメータの調整を行なうので、不必要なイベント条件が成立しなくなり、イベント情報の報告の発生が抑制されるため、移動局装置における消費電力を削減することができる。
【００２０】
（７）また、本発明の通信システムは、基地局装置と移動局装置とが、相互に異なる周波数帯域で定められる複数のキャリア要素を同時に使用して通信を行なう通信システムであって、前記基地局装置は、前記移動局装置が少なくとも一つの前記キャリア要素の受信品質を測定するためのイベント条件および前記イベント条件が成立したか否かの判定に用いるパラメータを前記移動局装置に通知する送信部を備え、前記移動局装置は、前記イベント条件および前記パラメータを受信する受信部と、少なくとも一つの前記キャリア要素の受信品質を測定する測定処理部と、前記イベント条件が成立したか否かの判定を行なうか否かを判定するセル判定部と、前記セル判定部の判定結果に基づいて前記イベント条件を設定し、前記設定したイベント条件が成立したか否かを判定するイベント判定部と、を備えることを特徴とする。
【００２１】
このように、イベント条件が成立したか否かの判定を行なうか否かを判定するので、移動局装置は、測定しているキャリア要素毎にイベント条件を設定してイベント判定を行なうため、効率的なイベント判定を行なうことができる。移動局装置がイベント判定を行なわない場合はイベント条件の成立が通常時よりも抑制される。このように、不必要なイベント条件が成立しなくなり、イベント報告の発生が抑制されるため、移動局装置における消費電力を削減することができる。また、イベント報告のための無線リソースの消費が抑制されるため、無線リソースの利用効率が向上する。また、基地局装置は、移動局装置に対してセル毎にイベント判定の有無を指定可能であるため、実際の基地局装置の配置に即した柔軟なハンドオーバー制御を行なうことができる。
【００２２】
（８）また、本発明の通信システムにおいて、前記セル判定部は、前記測定処理部で受信品質を測定する複数のキャリア要素が、前記基地局装置への接続に使用されている場合に、前記イベント条件が成立したか否かの判定を行なわないと判定することを特徴とする。
【００２３】
このように、受信品質を測定する複数のキャリア要素が、基地局装置への接続に使用されている場合に、イベント条件が成立したか否かの判定を行なわないので、イベント条件の成立が当該キャリア要素では抑制されることになる。
【００２４】
（９）また、本発明の通信システムにおいて、前記セル判定部は、前記測定処理部で受信品質を測定する複数のキャリア要素が、前記測定処理部における受信品質の測定の基準となる基準セルではない場合に、前記イベント条件が成立したか否かの判定を行なわないと判定することを特徴とする。
【００２５】
このように、受信品質を測定する複数のキャリア要素が、測定処理部における受信品質の測定の基準となる基準セルではない場合に、イベント条件が成立したか否かの判定を行なわないので、イベント条件の成立が当該キャリア要素では抑制されることになる。
【００２６】
（１０）本発明の移動局装置は、基地局装置と移動局装置とが、相互に異なる周波数帯域で定められる複数のキャリア要素を同時に使用して通信を行なう通信システムに適用される移動局装置であって、前記基地局装置から、少なくとも一つの前記キャリア要素の受信品質を測定するためのイベント条件および前記イベント条件が成立したか否かの判定に用いるパラメータを受信する受信部と、少なくとも一つの前記キャリア要素の受信品質を測定する測定処理部と、前記受信したパラメータを調整するか否かを判定するセル判定部と、前記受信したパラメータまたは調整後のパラメータに基づいて前記イベント条件を設定し、前記設定したイベント条件が成立したか否かを判定するイベント判定部と、を備えることを特徴とする。
【００２７】
このように、受信したパラメータを調整するか否かを判定し、受信したパラメータまたは調整後のパラメータに基づいて、イベント条件を設定し、設定したイベント条件が成立したか否かを判定するので、移動局装置は、測定しているキャリア要素毎にイベント条件を設定してイベント判定を行なうため、効率的なイベント判定を行なうことができる。移動局装置がイベント判定を行なわない場合はイベント条件の成立が通常時よりも抑制される。このように、不必要なイベント条件が成立しなくなり、イベント報告の発生が抑制されるため、移動局装置における消費電力を削減することができる。また、不要なハンドオーバー処理に伴う通信の切断確率ならびにハンドオーバー失敗確率が低下するため、移動局装置における通信品質が向上する。また、イベント報告のための無線リソースの消費が抑制されるため、無線リソースの利用効率が向上する。また、基地局装置は、移動局装置に対してセル毎にイベント判定の有無を指定可能であるため、実際の基地局装置の配置に即した柔軟なハンドオーバー制御を行なうことができる。
【００２８】
（１１）また、本発明の移動局装置において、前記セル判定部は、前記測定部で受信品質を測定する複数のキャリア要素が、前記基地局装置への接続に使用されている場合に、前記受信したパラメータを調整すると判定することを特徴とする。
【００２９】
このように、受信品質を測定する複数のキャリア要素が、基地局装置への接続に使用されている場合に、受信したパラメータを調整するので、イベント条件の成立が当該キャリア要素では抑制されることになる。
【００３０】
（１２）また、本発明の移動局装置において、前記セル判定部は、前記測定処理部で受信品質を測定する複数のキャリア要素が、前記測定処理部における受信品質の測定の基準となる基準セルではない場合に、前記受信したパラメータを調整すると判定することを特徴とする。
【００３１】
このように、受信品質を測定する複数のキャリア要素が、受信品質の測定の基準となる基準セルではない場合に、受信したパラメータを調整するので、イベント条件の成立が当該キャリア要素では抑制されることになる。
【００３２】
（１３）また、本発明の移動局装置において、前記イベント判定部は、前記セル判定部が前記受信したパラメータを調整すると判定したキャリア要素に対して、前記イベント条件が成立するまでの所要時間が、前記受信したパラメータの調整前よりも長くなるように前記受信したパラメータを調整して、前記設定したイベント条件が成立したか否かを判定することを特徴とする。
【００３３】
このように、受信したパラメータを調整すると判定したキャリア要素に対して、イベント条件が成立するまでの所要時間が、受信したパラメータの調整前よりも長くなるように受信したパラメータを調整するので、イベント条件の成立が当該キャリア要素では抑制されることになる。
【００３４】
（１４）また、本発明の移動局装置において、前記イベント判定部は、前記移動局装置が高速移動中である場合に、前記セル判定部が前記受信したパラメータを調整すると判定したキャリア要素に対して、前記イベント条件が成立するまでの時間調整に用いられるスケーリング係数を無効として、前記設定したイベント条件が成立したか否かを判定することを特徴とする。
【００３５】
このように、受信したパラメータを調整すると判定したキャリア要素に対して、イベント条件が成立するまでの時間調整に用いられるスケーリング係数を無効として、設定したイベント条件が成立したか否かを判定するので、イベント条件の成立が当該キャリア要素では抑制されることになる。
【００３６】
（１５）また、本発明の移動局装置において、前記イベント判定部は、前記セル判定部が前記受信したパラメータを調整すると判定したキャリア要素において、前記イベント条件の成立が抑制されるように前記受信したパラメータの調整を行なうことを特徴とする。
【００３７】
このように、受信したパラメータを調整すると判定したキャリア要素において、イベント条件の成立が抑制されるように受信したパラメータの調整を行なうので、不必要なイベント条件が成立しなくなり、イベント情報の報告の発生が抑制されるため、移動局装置における消費電力を削減することができる。
【００３８】
（１６）また、本発明の移動局装置は、基地局装置と移動局装置とが、相互に異なる周波数帯域で定められる複数のキャリア要素を同時に使用して通信を行なう通信システムに適用される移動局装置であって、前記基地局装置から、少なくとも一つの前記キャリア要素の受信品質を測定するためのイベント条件および前記イベント条件が成立したか否かの判定に用いるパラメータを受信する受信部と、少なくとも一つの前記キャリア要素の受信品質を測定する測定処理部と、前記イベント条件が成立したか否かの判定を行なうか否かを判定するセル判定部と、前記セル判定部の判定結果に基づいて、前記イベント条件を設定し、前記設定したイベント条件が成立したか否かを判定するイベント判定部と、を備えることを特徴とする。
【００３９】
このように、イベント条件が成立したか否かの判定を行なうか否かを判定するので、移動局装置は、測定しているキャリア要素毎にイベント条件を設定してイベント判定を行なうため、効率的なイベント判定を行なうことができる。移動局装置がイベント判定を行なわない場合はイベント条件の成立が通常時よりも抑制される。このように、不必要なイベント条件が成立しなくなり、イベント報告の発生が抑制されるため、移動局装置における消費電力を削減することができる。また、不要なハンドオーバー処理に伴う通信の切断確率ならびにハンドオーバー失敗確率が低下するため、移動局装置における通信品質が向上する。また、イベント報告のための無線リソースの消費が抑制されるため、無線リソースの利用効率が向上する。また、基地局装置は、移動局装置に対してセル毎にイベント判定の有無を指定可能であるため、実際の基地局装置の配置に即した柔軟なハンドオーバー制御を行なうことができる。
【００４０】
（１７）また、本発明の移動局装置において、前記セル判定部は、前記測定処理部で受信品質を測定する複数のキャリア要素が、前記基地局装置への接続に使用されている場合に、前記イベント条件が成立したか否かの判定を行なわないと判定することを特徴とする。
【００４１】
このように、受信品質を測定する複数のキャリア要素が、基地局装置への接続に使用されている場合に、イベント条件が成立したか否かの判定を行なわないので、イベント条件の成立が当該キャリア要素では抑制されることになる。
【００４２】
（１８）また、本発明の移動局装置において、前記セル判定部は、前記測定処理部で受信品質を測定する複数のキャリア要素が、前記測定処理部における受信品質の測定の基準となる基準セルではない場合に、前記イベント条件が成立したか否かの判定を行なわないと判定することを特徴とする。
【００４３】
このように、受信品質を測定する複数のキャリア要素が、測定処理部における受信品質の測定の基準となる基準セルではない場合に、イベント条件が成立したか否かの判定を行なわないので、イベント条件の成立が当該キャリア要素では抑制されることになる。
【００４４】
（１９）本発明の基地局装置は、基地局装置と移動局装置とが、相互に異なる周波数帯域で定められる複数のキャリア要素を同時に使用して通信を行なう通信システムに適用される基地局装置であって、前記移動局装置が少なくとも一つの前記キャリア要素の受信品質を測定するためのイベント条件および前記イベント条件が成立したか否かの判定に用いるパラメータを前記移動局装置に通知する送信部を備えることを特徴とする。
【００４５】
このように、移動局装置の通信状態に変化を及ぼすイベントを実行する前提となるイベント条件およびイベント条件が成立したか否かの判定に用いるパラメータを移動局装置に通知するので、移動局装置は、測定しているキャリア要素毎にイベント条件を設定してイベント判定を行なうため、効率的なイベント判定を行なうことができる。移動局装置がイベント判定を行なわない場合はイベント条件の成立が通常時よりも抑制される。このように、不必要なイベント条件が成立しなくなり、イベント報告の発生が抑制されるため、移動局装置における消費電力を削減することができる。また、イベント報告のための無線リソースの消費が抑制されるため、無線リソースの利用効率が向上する。また、基地局装置は、移動局装置に対してセル毎にイベント判定の有無を指定可能であるため、実際の基地局装置の配置に即した柔軟なハンドオーバー制御を行なうことができる。
【００４６】
（２０）また、本発明の基地局装置において、前記移動局装置が、前記イベント条件が成立したか否かについての判定を行なうか否かを指定するイベント判定情報を、前記移動局装置毎に設定するイベント条件設定部をさらに備え、前記送信部は、前記イベント判定情報を前記移動局装置に送信することを特徴とする。
【００４７】
このように、イベント条件が成立したか否かについての判定を行なうか否かを指定するイベント判定情報を、移動局装置毎に設定するので、イベント条件の成立が当該キャリア要素では抑制されることになる。
【００４８】
（２１）また、本発明の基地局装置において、前記イベント判定情報は、前記イベント条件毎に設定され、一つ以上のセル識別子を示す情報を含むことを特徴とする。
【００４９】
このように、イベント判定情報は、イベント条件毎に設定され、一つ以上のセル識別子を示す情報を含むので、基地局装置は、移動局装置に対してセル毎にイベント判定の有無を指定可能であるため、実際の基地局装置の配置に即した柔軟なハンドオーバー制御を行なうことができる。
【発明の効果】
【００５０】
本発明の実施形態によれば、移動局装置はキャリア要素毎にイベント条件を設定してイベント判定を行なうため、効率的なイベント判定を行なうことができる。また、移動局装置は不必要な測定報告を基地局装置に送信しないため、消費電力を削減することができる。また、移動局装置は、不要なハンドオーバー処理に伴う通信の切断確率ならびにハンドオーバー失敗確率が低下するため、通信品質が向上する。また、イベント情報の報告のための無線リソースの消費が抑制されるため、無線リソースの利用効率が向上する。基地局装置は、移動局装置からの測定報告に基づきハンドオーバーを制御するため、複雑な制御が不要となり、スケジューリングの複雑性が低減する。
【図面の簡単な説明】
【００５１】
【図１】本発明の実施形態に係る基地局装置３の概略構成を示すブロック図である。
【図２】本発明の実施形態に係る移動局装置１の概略構成を示すブロック図である。
【図３】本発明の実施形態に係る移動局装置１の測定処理に関するシーケンスチャートである。
【図４】本発明の第１の実施形態に係る移動局装置１のパラメータ調整処理を示すフローチャートである。
【図５】本発明の第１の実施形態に係る移動局装置１がキャリア要素（セル）の受信品質の比較を行なう際のパラメータ調整の有無を示す図である。
【図６】本発明の第２の実施形態に係る移動局装置１のパラメータ調整処理を示すフローチャートである。
【図７】本発明の第２の実施形態に係る移動局装置１がキャリア要素（セル）毎に受信品質の比較を行なう際のパラメータ調整の有無を示す図である。
【図８】本発明の第３の実施形態に係る移動局装置１のパラメータ調整処理を示すフローチャートである。
【図９】本発明の第３の実施形態に係る移動局装置１において、基準セルが指定された場合の、パラメータ調整処理を示すフローチャートである。
【図１０】本発明の第３の実施形態に係る基地局装置３が移動局装置１にイベント条件を通知する際に、イベント条件毎にパラメータ調整処理の実施の有無を行なうセルを指定するために参照されるテーブルの一例である。
【図１１】キャリア・アグリゲーションを用いた受信周波数帯域の増減の一例を示す図である。
【図１２】測定対象セルと測定方法について説明した図である。
【図１３】本発明の実施形態に係る通信ネットワーク構成の一例を示す図である。
【図１４】本発明の実施形態に係る移動局装置１がキャリア・アグリゲーションを行なう場合に、構成される下りリンクコンポーネントキャリアと、上りリンクコンポーネントキャリアの対応関係の例を示した図である。
【発明を実施するための形態】
【００５２】
本発明の実施形態を説明する前に、本発明に関するキャリア・アグリゲーション、ハンドオーバーパラメータ、物理チャネルについて簡単に説明する。
【００５３】
（１）キャリア・アグリゲーション
図１１は、キャリア・アグリゲーションを用いた受信周波数帯域の増減の一例を示す図である。Ｂａｎｄ１〜Ｂａｎｄ３は、それぞれ基地局装置が送信する下りリンクの周波数帯域（コンポーネントキャリア）を示し、キャリア・アグリゲーションによって同時に複数の周波数帯域を一つの移動局装置との接続に用いることが出来る。Ｂａｎｄ１〜Ｂａｎｄ３はそれぞれ異なる周波数である。なお、Ｂａｎｄ１〜Ｂａｎｄ３の周波数帯域の送信帯域幅はそれぞれ同じでも、一部または全部が異なっても良い。また、Ｂａｎｄ１〜Ｂａｎｄ３は連続した周波数帯域であっても、不連続な周波数帯域であってもよい。各周波数帯域は、Ａｄｖａｎｃｅｄ  ＥＵＴＲＡの移動局装置のみが使用可能な周波数帯域であっても良いし、Ａｄｖａｎｃｅｄ  ＥＵＴＲＡの移動局装置とＥＵＴＲＡの移動局装置が共に使用可能な周波数帯域であっても良い。本例の移動局装置は、２０ＭＨｚの周波数帯域を同時に３つまで受信可能であり、その受信帯域幅の合計は６０ＭＨｚである。
【００５４】
図１１の例では、ある時間Ｔｉｍｅ１において、移動局装置はＢａｎｄ３の２０ＭＨｚを使用して基地局装置と通信を行なっており、同時にＢａｎｄ１〜Ｂａｎｄ２の測定を行なっている。また、ある別の時間Ｔｉｍｅ２において、移動局装置はＢａｎｄ２が追加され、Ｂａｎｄ２とＢａｎｄ３の合計４０ＭＨｚを使用して基地局装置と通信を行なっており、同時にＢａｎｄ１の測定を行なっている。また、ある別の時間Ｔｉｍｅ３において、移動局装置は更にＢａｎｄ１が追加され、Ｂａｎｄ１〜Ｂａｎｄ３の合計６０ＭＨｚを使用して基地局装置と通信を行なっている。また、ある別の時間Ｔｉｍｅ４において、移動局装置はＢａｎｄ２が削除され、Ｂａｎｄ１とＢａｎｄ３の合計４０ＭＨｚを使用して基地局装置と通信を行なっており、同時にＢａｎｄ２の測定を行なっている。このように、キャリア・アグリゲーションを用いることで基地局装置の構成を大きく変えることなく、データレートを大幅に向上させることが可能となる。なお、Ｔｉｍｅ１〜Ｔｉｍｅ４の時間長は可変であり、各時間長が同じである必要は無い。
【００５５】
ＯＦＤＭＡ（Orthogonal Frequency Division Multiplexing Access）のように、シン
ボル毎にガードインターバル（CP;Cyclic Prefix）が設けられた通信方式を使用する場合、キャリア・アグリゲーションに用いられる各周波数帯域のＯＦＤＭシンボルタイミングは等しいことが望ましい。ＯＦＤＭシンボルタイミングが等しいとは、移動局装置の受信アンテナ端において各周波数帯域のＯＦＤＭシンボルの受信タイミングの差がＣＰの長さ以内に収まることを意味する。また、移動局装置が送信する上りリンクの周波数帯域に対して上述したキャリア・アグリゲーションを適用することも可能である。上りリンクの周波数帯域に対してキャリア・アグリゲーションを適用する場合、上りリンクの周波数帯域の送信タイミングは同じ、またはその差がＣＰ長の長さ以内に収まることが望ましい。
【００５６】
（２）ハンドオーバーパラメータ
ハンドオーバーパラメータとは、移動局装置にハンドオーバーの実施のタイミングを判定させるために基地局装置が内部で保持している準静的な複数のパラメータ群のことである。ここでは、ＥＵＴＲＡにおけるハンドオーバーと、ハンドオーバーパラメータについて説明する。ハンドオーバーは、現在接続中のセル（在圏セル）の受信品質（Ms）とそれ以外のセル（周辺セル）の受信品質（Mn）に適用されるイベント条件が基地局装置から移動局装置に通知され、イベント条件が成立したときにイベント条件の成立を基地局装置に報告することによって開始される。受信品質は、下りリンクリファレンスシグナルの参照信号受信電力（RSRP;Reference Signal Received Power）または参照信号受信品質（RSRQ;Reference Signal Received Quality）を移動局装置が測定することによって得られる。
【００５７】
ハンドオーバーに関するイベント条件（ハンドオーバー条件とも称する）とは、典型的には、在圏セルと周辺セルのそれぞれの受信品質にセル毎に設定されるオフセット値（Oc）と周波数帯域毎に設定されるオフセット値（Of）を加え、更に在圏セルの受信品質にイベント用のオフセット値（Off）を加えた結果を比較することであり、周辺セルの受信品
質が在圏セルの受信品質を上回ることで成立する。また、基地局装置は、ハンドオーバーが頻繁に発生しないように、周辺セルの受信品質を調整するヒステリシス（Hysteresis）と、ハンドオーバー条件が成立するまでの所要時間（TTT;Time To Trigger)とを移動局装置に通知する。すなわち、ハンドオーバーパラメータとしては、セル毎のオフセット値、周波数帯域毎のオフセット値、イベント用のオフセット値、ヒステリシス、ＴＴＴとが存在する。
【００５８】
図１２は、測定対象セルと測定方法について説明した図である。イベント判定に関するセル毎の対応関係について、図１２を用いて説明する。図１２のセルＡ１とセルＡ２は、空間的に同一エリアに配置され、互いに異なる周波数Ｆ１と周波数Ｆ２で運用されるセルである。セルＢ１とセルＢ２も同様に、空間的に同一エリアに配置され、互いに異なる周波数Ｆ１〜周波数Ｆ２で運用されるセルである。このとき、在圏セルがセルＡ２であった場合、セルＡ２からセルＡ１またはセルＢ１へのハンドオーバーは異周波数ハンドオーバーとなり、セルＡ２には、セルＡ２のオフセット値（Oc_A2）と周波数Ｆ２のオフセット
値（Of_F2）、イベント用のオフセット値（Off）が加えられる。また、セルＡ１にはセルＡ１のオフセット値（Oc_A1）と周波数Ｆ１のオフセット値（Of_F1）、ヒステリシスが加えられる。また、セルＢ１にはセルＢ１のオフセット値（Oc_B1）と周波数Ｆ１のオフセ
ット値（Of_F1）、ヒステリシスが加えられる。また、セルＡ２からセルＢ２へのハンド
オーバーは同周波数ハンドオーバーとなり、セルＡ２には、セルＡ２のオフセット値（Oc_A2）とイベント用のオフセット値（Off）が加えられる。また、セルＢ２にはセルＢ２のオフセット値（Oc_B2）とヒステリシスが加えられる。ハンドオーバー条件に用いられる
ヒステリシスとＴＴＴは、周波数帯域毎に設定される。オフセット値とヒステリシスは負の値が設定されても良い。
【００５９】
更に、移動局装置の移動速度によってハンドオーバー条件が成立するまでの所要時間を緩和させるために、基地局装置は、ＴＴＴの短縮（または延長）を行なうためのスケーリング係数（Scaling Factor）を指定することも可能である。すなわち、スケーリング係数はハンドオーバー条件が成立するまでの所要時間を短縮（または延長）するために用いられる。基地局装置は、スケーリング係数を移動局装置の移動速度毎に指定することが可能であり、例えば、基地局装置は移動局装置に対して高速移動時と高速移動時よりも遅い中速移動時とで別のスケーリング係数を指定することもできる。基地局装置は移動局装置毎に異なるスケーリング係数を割当てることもできる。移動局装置は、基地局装置から高速移動時におけるスケーリング係数として０．５が指定されたときで、移動局装置が高速移動中であると判定した場合、移動局装置は通知されたＴＴＴに０．５を乗算した値をＴＴＴとして設定してイベント判定を行なう。このように、スケーリング係数と移動速度（移動速度情報）もハンドオーバー条件に関係するため、ハンドオーバーパラメータに含まれる。移動速度情報は、移動局装置が所定の時間内に発生したハンドオーバーの回数によって移動局装置で生成する。
【００６０】
（３）物理チャネル
ＥＵＴＲＡおよびＡｄｖａｎｃｅｄ  ＥＵＴＲＡで使用される物理チャネル（または物理シグナル）について説明を行なう。物理チャネルはＥＵＴＲＡ、およびＡｄｖａｎｃｅｄ  ＥＵＴＲＡにおいて、今後追加、または、その構造が変更される可能性もあるが、変更された場合でも本発明の各実施形態の説明には影響しない。
【００６１】
同期シグナル（Synchronization Signal）は、移動局装置が基地局装置（またはリレー局装置）を高速に検出するために使用される。同期シグナルは、３種類のプライマリ同期シグナルと周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルＩＤ）と、無線同期のためのフレームタイミングが示される。移動局装置は、セルサーチによって受信したセルＩＤを特定する。
【００６２】
物理報知情報チャネル（PBCH;Physical Broadcast Channel)は、セル内の移動局装置で共通に用いられる制御パラメータ（報知情報）を通知する目的で送信される。物理報知情報チャネルで通知されない報知情報は、下りリンク共用制御チャネルで無線リソースが通知され、下りリンクデータチャネルを用いて送信される。報知情報として、アクセス制限情報やセル個別の識別子を示すセルグローバルＩＤなどが通知される。
【００６３】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク共用制御チャネル、または下りリンクデータチャネルの復調のための参照用の信号としても下りリンクリファレンスシグナルを使用する。下りリンクリファレンスシグナルに使用される系列は、セル毎に一意に識別可能な系列が用いられる。なお、下りリンクリファレンスシグナルはセル専用ＲＳ（Cell-specific reference signal）と記載される場合もあるが、その用途と意味は同じである。
【００６４】
下りリンク共用制御チャネル（PDCCH;Physical Downlink Common Channel)は、各サブ
フレームの先頭からいくつかのＯＦＤＭシンボルで送信され、移動局装置に対して基地局装置のスケジューリングに従った無線リソース割当て情報や、送信電力の増減の調整量を指示する目的で使用される。移動局装置は、下りリンクデータ（下りリンクトラフィックデータ）や制御メッセージを送受信する前に下りリンク共用制御チャネルを受信し、送信時には上りリンクグラントを、受信時には下りリンクグラントから無線リソース割当て情報を取得する必要がある。
【００６５】
下りリンクデータチャネル（PDSCH;Physical Downlink Shared Channel）は、下りリンクデータの他、ページング情報、報知情報の一部を通知するためにも使用される。下りリンクデータチャネルの無線リソース割当て情報は、下りリンク共用制御チャネルで示される。
【００６６】
上りリンクデータチャネル（PUSCH;Physical Uplink Shared Channel）は、主に上りリンクデータ（上りリンクトラフィックデータ）を送信し、下りリンクの受信品質やＡＣＫ／ＮＡＣＫなどの制御データを含めることも可能である。また、下りリンクと同様に上りリンクデータチャネルの無線リソース割当て情報は、下りリンク共用制御チャネルで示される。
【００６７】
ランダムアクセスチャネル（PRACH;Physical Random Access Channel)は、プリアンブ
ル系列を通知するために使用されるチャネルであり、ガードタイムを持つ。ランダムアクセスチャネルは、上りリンク送信タイミングが非同期状態の移動局装置の基地局装置へのアクセス手順として用いられ、無線リソース要求や上りリンク送信タイミングの調整に用いられる。なお、それ以外の物理チャネルは、本発明の各実施形態に関わらないため詳細な説明は省略する。
【００６８】
[本発明の通信ネットワーク構成の例]
図１３は、本発明の実施形態に係る通信ネットワーク構成の一例を示す図である。移動局装置１は、キャリア・アグリゲーションによって複数の周波数帯域（コンポーネントキャリア、Band1〜Band3）を同時に用いて基地局装置３と接続することが可能な場合、通信
ネットワーク構成としては、ある一つの基地局装置３が複数の周波数帯域毎に送信装置１１〜１３（図示しない受信装置２１〜２３）を備えており、各周波数帯域の制御を一つの基地局装置３で行なう構成が制御の簡略化の観点から好適である。ただし、複数の周波数帯域が連続する周波数帯域であるなどの理由で、基地局装置３が一つの送信装置で複数の周波数帯域の送信を行なう構成であっても構わない。基地局装置３の送信装置によって制御される各周波数帯域の通信可能範囲はセルとしてみなされ、空間的に同一のエリアに存在する。このとき、各周波数帯域がカバーするエリア（セル）はそれぞれ異なる広さ、すなわち異なる半径であっても良い。ただし、後述する記載において、基地局装置３が形成するキャリア要素の周波数の各エリアのことをセルと称して説明するが、これは実際に運用される通信システムにおけるセルの定義とは異なる可能性があることに注意する。例えば、ある通信システムでは、キャリア・アグリゲーションによって用いられるコンポーネントキャリアのことを、セルではなく単なる追加の無線リソースと定義するかもしれない。本発明でコンポーネントキャリアをセルと称することで、実際に運用される通信システムにおけるセルの定義と異なる場合が発生したとしても、本発明の主旨には影響しない。
【００６９】
[コンポーネントキャリアの対応関係の例]
図１４は、本発明の実施形態に係る移動局装置１がキャリア・アグリゲーションを行なう場合に、構成される下りリンクコンポーネントキャリアと、上りリンクコンポーネントキャリアの対応関係の例を示した図である。下りリンクコンポーネントキャリアＤＬ＿ＣＣ１は上りリンクコンポーネントキャリアＵＬ＿ＣＣ１に対応している。すなわち、ＤＬ＿ＣＣ１で受信されたデータのＡＣＫ／ＮＡＣＫや受信品質のフィードバックは、ＵＬ＿ＣＣ１で送信される。また、上りリンクコンポーネントキャリアに対し、複数の下りリンクコンポーネントキャリアが対応する場合も可能である。図の例では、ＤＬ＿ＣＣ２とＤＬ＿ＣＣ３で受信されたデータのＡＣＫ／ＮＡＣＫや受信品質のフィードバックは、どちらもＵＬ＿ＣＣ２で送信される。
【００７０】
移動局装置１は、下りリンクコンポーネントキャリアがどの基地局装置３から送信されているか、上りリンクコンポーネントキャリアがどの基地局装置３で受信されるかを特に意識することなく、通常のセルサーチ手順を用いて選択する。そして、移動局装置１は、選択したセルの報知情報から下りリンクコンポーネントキャリアが対応する上りリンクコンポーネントキャリアの周波数帯域や帯域幅などの情報を取得する。基地局装置３は、下りリンクコンポーネントキャリアと上りリンクコンポーネントキャリアの対応関係を移動局装置１毎に個別に設定しても良い。移動局装置１は、基地局装置３の指示に基づいてキャリア・アグリゲーションを開始し、複数のコンポーネントキャリアに対する送受信を開始する。
【００７１】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判定される場合には、その詳細な説明を省略する。
【００７２】
以下、本発明の実施形態について図面を参照して説明する。
【００７３】
＜第１の実施形態＞
本発明の第１の実施形態について以下に説明する。本実施形態は、移動局装置１がキャリア・アグリゲーションにより複数の下りリンクの周波数帯域（下りリンクコンポーネントキャリア）を用いているときに、移動局装置1が効率的にイベント判定を行なうための
イベント条件のパラメータ調整方法に関する。
【００７４】
図１は、本発明の実施形態に係る基地局装置３の概略構成を示すブロック図である。本基地局装置３は、受信部１０１、復調部１０３、復号部１０５、上位レイヤ１０７、符号部１０９、変調部１１１、ＲＳ生成部１１３、多重部１１５、送信部１１７、制御部１１９から構成される。
【００７５】
上位レイヤ１０７は、下りリンクデータと下りリンク制御データを符号部１０９へ入力する。符号部１０９は、入力されたデータを符号化し、変調部１１１へ入力する。変調部１１１は、符号化した信号の変調を行なう。また、変調部１１１から出力される信号とＲＳ生成部１１３で生成される下りリンクリファレンスシグナルは、多重部１１５にて周波数領域にマッピングされる。多重部１１５からの出力信号は、送信部１１７に入力される。送信部１１７は、周波数領域の信号を時間領域の信号へ変換し、変換した信号を既定の周波数の搬送波にのせて電力増幅を行ない送信する。
【００７６】
上位レイヤ１０７は、移動局装置1毎にイベント条件を設定する。上位レイヤ１０７か
ら出力されたイベント条件およびハンドオーバーパラメータは、イベント条件を設定する必要がある場合に下りリンクデータとして符号部１０９と変調部１１１へ入力され、物理報知情報チャネル、または下りリンクデータチャネルに適切に配置され、送信信号として送信される。基地局装置３が送信するハンドオーバーパラメータが配置された下りリンクデータチャネルは、典型的にはレイヤ３メッセージ（RRCメッセージ）を構成する。
【００７７】
また、受信部１０１は、移動局装置1から受信した信号をベースバンドのデジタル信号
に変換する。デジタル信号は、復調部１０３へ入力されて復調される。復調部１０３で復調された信号は続いて復号部１０５へ入力されて復号され、正しく復号された上りリンク制御データや上りリンクデータは上位レイヤ１０７へ出力される。これら各ブロックの制御に必要なスケジューリングに関する制御情報は、上位レイヤ１０７より制御部１１９へ入力され、制御部１１９より送信に関連する制御情報は送信制御情報として、符号部１０９、変調部１１１、ＲＳ生成部１１３、多重部１１５、送信部１１７の各ブロックに、受信に関連する制御情報は受信制御情報として、受信部１０１、復調部１０３、復号部１０５の各ブロックに適切に入力される。図１において、その他の基地局装置３の構成要素は本実施形態に関係ないため省略してある。
【００７８】
なお、ハンドオーバーパラメータは基地局装置３毎に管理されることが好適であるが、基地局装置３よりも上位の制御局装置がハンドオーバーパラメータを管理し、上位の制御局装置から適宜ハンドオーバーパラメータを基地局装置３に通知する、または基地局装置３の要求に応じてハンドオーバーパラメータを基地局装置３に通知するような管理方法であっても良い。
【００７９】
図２は、本発明の実施形態に係る移動局装置１の概略構成を示すブロック図である。本移動局装置１は、受信部２０１、復調部２０３、復号部２０５、測定処理部２０７、イベント判定部２０９、ランダムアクセス生成部２１１、符号部２１３、変調部２１５、送信部２１７、送信帯域設定部２１９、制御部２２１、上位レイヤ２２３、セル判定部２２５から構成される。受信に先立ち、上位レイヤ２２３より制御部２２１へ制御情報が入力され、受信に関する制御情報が受信制御情報として、受信部２０１、復調部２０３、復号部２０５へ適切に入力される。受信制御情報は、受信周波数帯域の情報の他に、各チャネルに関する受信タイミング、多重方法、無線リソース配置情報などの情報が含まれている。移動局装置１は、受信部２０１と送信部２１７を複数備えていても良い。
【００８０】
受信信号は、受信部２０１において受信される。受信部２０１は、受信制御情報で指定された周波数帯域で信号を受信する。受信された信号は、復調部２０３へと入力される。復調部２０３は、受信信号の復調を行ない、復号部２０５へと信号を入力して下りリンクデータと下りリンク制御データとを正しく復号し、復号された各データを上位レイヤ２２３へと入力する。ハンドオーバーパラメータが復号された場合、ハンドオーバーパラメータはイベント判定部２０９へ入力される。また、ハンドオーバーパラメータは上位レイヤ２２３からイベント判定部２０９へ入力されてもよい。測定処理部２０７は、セル毎の下りリンクリファレンスシグナルの受信品質の測定処理や、下りリンク共用制御チャネルまたは下りリンクデータチャネルの受信誤り率の測定結果に基づいて測定処理を行ない、測定した受信品質をサンプル毎に平均化（フィルタリング）した測定情報を生成し、測定情報を上位レイヤ２２３と、必要であればイベント判定部２０９へ出力する。
【００８１】
イベント判定部２０９には、イベント条件、ハンドオーバーパラメータ、測定情報のほか、移動局装置１がキャリア・アグリゲーションを用いて接続中であれば、キャリア・アグリゲーションによって接続されているコンポーネントキャリアを一意に特定するための情報であるキャリア要素情報が入力される。キャリア要素情報は、移動局装置１が現在接続に使用しているキャリア・アグリゲーションを用いて接続中のコンポーネントキャリアを判別可能な情報であれば、いかなる形式でも良い。例えば、絶対無線周波数チャネル番号（ARFCN;Absolute Radio Frequency Channel Number）とセルＩＤで構成されることも
可能である。
【００８２】
イベント判定部２０９は、入力されたキャリア要素情報をセル判定部２２５へ入力する。セル判定部２２５は、入力されたキャリア要素情報から、測定対象の周波数のセル（キャリア要素）毎の関係について判定するセル判定処理を行ない、その判定結果であるセル判定結果情報をイベント判定部２０９に対して出力する。セル判定結果情報は、セル毎にハンドオーバーパラメータを調整するか否かの情報を示す。また、イベント判定部２０９は、入力されたイベント条件、ハンドオーバーパラメータ、測定情報、セル判定結果情報に基づき、イベント条件（ハンドオーバー条件）が満たされたか否かを評価するためのイベント判定処理を行なう。そして、イベント判定部２０９は、イベント条件が満たされた場合、成立したイベント条件を示すイベント情報を上位レイヤ２２３へと出力する。イベント情報には、少なくとも成立したイベント条件の種別を示すイベント識別子（Event ID）とイベント条件が成立したセル（キャリア要素）のセルＩＤとが含まれる。接続しているキャリア要素を識別するため、キャリア要素毎に割り振られるＩＤであるキャリア要素ＩＤが使用される場合、イベント判定部２０９は、セルＩＤの代わりにキャリア要素ＩＤを含めることも可能である。キャリア要素ＩＤは、基地局装置３よりキャリア・アグリゲーションによって接続されキャリア要素が指示されるたびに割当てられる。イベント判定部２０９及びセル判定部２２５は、上位レイヤ２２３のサブ機能ブロックとすることもできる。イベント条件は、上位レイヤ２２３によって通知される。
【００８３】
また、送信に先立ち、上位レイヤ２２３より制御部２２１へ制御情報が入力され、送信に関する制御情報が送信制御情報として、ランダムアクセス生成部２１１、符号部２１３、変調部２１５、送信帯域設定部２１９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。ランダムアクセス情報はランダムアクセス生成部２１１に入力され、ランダムアクセス生成部２１１においてランダムアクセスデータが生成される。ランダムアクセス情報には、プリアンブル情報や送信用の無線リソース情報などが含まれる。
【００８４】
符号部２１３には、前記ランダムアクセスデータのほか、上位レイヤ２２３より上りリンクデータと上りリンク制御データとが入力される。符号部２１３は送信制御情報に従い、各データを適切に符号化し、変調部２１５に出力する。変調部２１５は、符号部２１３からの入力を変調する。送信帯域設定部２１９は、各送信部２１７に対して送信する周波数帯域を設定する。送信部２１７は、変調部２１５の出力を周波数領域にマッピングすると共に、周波数領域の信号を時間領域の信号へ変換し、既定の周波数の搬送波にのせて電力増幅を行ない送信する。また、上位レイヤ２２３に入力されたイベント情報は、上りリンクデータとして符号部２１３と変調部２１５へ入力され、上りリンクデータチャネルに適切に配置されて送信信号として送信される。移動局装置１が送信するイベント情報が配置された上りリンクデータチャネルは、典型的にはレイヤ３メッセージ（RRCメッセージ
）を構成する。図２において、その他の移動局装置１の構成要素は本実施形態に関係ないため省略してある。
【００８５】
また、本基地局装置３と本移動局装置１が配置される通信システムの通信ネットワーク構成および周波数帯域の対応関係は、それぞれ図１３と図１４に示したものと同様のものを適用できる。
【００８６】
図３は、本発明の実施形態に係る移動局装置１の測定処理に関するシーケンスチャート図である。本発明に関するイベント判定処理の方法について、図３のシーケンスチャートを用いて説明する。図３は、移動局装置１と、キャリア要素１の周波数〜キャリア要素４の周波数（コンポーネントキャリア１〜コンポーネントキャリア４）とが存在し、移動局装置１がキャリア・アグリゲーションによってキャリア要素１の周波数〜キャリア要素３の周波数の周波数帯域を用いて基地局装置３と接続している状態（キャリア・アグリゲーション状態）から開始される。キャリア要素１の周波数〜キャリア要素３の周波数は異なる周波数帯域である。移動局装置１は、キャリア・アグリゲーションされるキャリア要素１の周波数〜キャリア要素３の周波数を空間的に同一な場所で受信する。ただし、各キャリア要素の周波数のセル半径は異なっていても良い。キャリア要素４の周波数は移動局装置１と未接続である。キャリア要素４の周波数は、キャリア要素１の周波数〜キャリア要素３の周波数のいずれかと同じ周波数でも良いし、異なる周波数でも良い。キャリア要素４の周波数は、移動局装置１と未接続の別の基地局装置３が使用する周波数でも良い。
【００８７】
特に説明の無い限り、キャリア要素の周波数とは、下りリンクコンポーネントキャリアと、下りリンクコンポーネントキャリアに対応する上りリンクコンポーネントキャリアのセットを意味する。また、図中の移動局装置１からキャリア要素の周波数への送信は、上りリンクコンポーネントキャリアを使用した基地局装置３への送信を意味し、キャリア要素の周波数から移動局装置１への送信は、下りリンクコンポーネントキャリアを使用した基地局装置３から移動局装置１への送信を意味する。以下、適宜キャリア要素の周波数のことを単にキャリア要素またはセルと称して説明することがある。イベント判定のために移動局装置１が測定を行なうキャリア要素の周波数のセルのことを特に測定対象セルと称する。なお、実際は各制御メッセージの送受信に先立ち、下りリンク共用制御チャネルによる下りリンクまたは上りリンクの無線リソース割当て情報が必要であるが、図面上ならびに説明では省略してある。
【００８８】
基地局装置３は、いずれかのキャリア要素の周波数を用いて移動局装置１へ測定制御情報を送信する（ステップＳ１０１）。測定制御情報には、イベント条件とハンドオーバーパラメータ（測定対象セル毎の受信品質の比較や、測定対象セルの受信品質と閾値との比較の際に用いられる各パラメータ（セル毎のオフセット値、周波数帯域毎のオフセット値、ヒステリシス、TTT）、およびスケーリング係数）が含まれる。測定制御情報は、周波
数帯域毎に設定される。また、測定制御情報は、セル内で共通の情報として報知情報として送信されても、接続中の移動局装置１の個別の情報として送信されても良い。また、測定制御情報のみをレイヤ３メッセージとして送信しても良いし、移動局装置１の無線接続設定または無線接続設定変更に関するレイヤ３メッセージと一緒に送信されても良いし、下りリンクデータと一緒に送信されても良い。また、複数のレイヤ３メッセージに分散されて送信されても良い。無線接続設定は、例えばＲＲＣ  Ｃｏｎｎｅｃｔｉｏｎ  Ｓｅｔｕｐであり、無線接続設定変更は、例えばＲＲＣ  Ｃｏｎｎｅｃｔｉｏｎ  Ｒｅｃｏｎｆｉｇｕｒａｔｉｏｎである。
【００８９】
移動局装置１は、基地局装置３より送信される測定制御情報を、新たな測定制御情報を受信するまで、または基地局装置３との接続を終了するまで、移動局装置１内部で保持し続ける。測定制御情報を保持した後、移動局装置１は自局の移動速度の判定を行なうことで移動局装置速度情報を求める（ステップＳ１０３）。移動速度情報は、所定の時間内にハンドオーバーによって移動したセルの数と閾値を比較することによって判定される。判定に用いられる所定の時間と閾値は、基地局装置３から移動局装置１に通知される。移動局装置１は、例えばセルの数が閾値１よりも少なければ速度Ｓ１であると判定し、閾値１以上で閾値２未満であれば速度Ｓ２と判定し、閾値２以上であれば速度Ｓ３と判定する。閾値を多くすることで、移動局装置１は更に細かい移動速度を判定することも可能である。移動局装置１は、移動速度の判定によって判定した移動速度情報をハンドオーバーパラメータとして移動局装置１内部に保持する。
【００９０】
続いて、移動局装置１は各キャリア要素における下りリンクリファレンスシグナルをそれぞれ受信し（ステップＳ１０５）、キャリア要素毎に受信品質を測定する。そして、測定対象であるキャリア要素毎の受信品質を計算するために、測定した受信品質に対してハンドオーバーパラメータであるセル毎のオフセット値と周波数帯域毎のオフセット値、イベント用のオフセット値、ヒステリシスを加える。そして、移動局装置１は、計算した受信品質を用いてキャリア要素（セル）毎に受信品質の比較を行ない、イベント条件が成立したかどうかをイベント条件が成立するまでの所要時間（TTT）に基づいて判定する（ス
テップＳ１０７）。
【００９１】
本実施形態の移動局装置１は、イベント判定においてキャリア要素情報からキャリア要素毎に関係を判定し、判定結果に応じてイベント条件に用いるパラメータを修正するパラメータ調整処理を行った後にイベント判定を行なう。そして、当該イベント条件が成立した場合、移動局装置１は成立したイベント情報をレイヤ３メッセージである測定報告に含め、接続しているキャリア要素のいずれかを用いて基地局装置３へ送信する（ステップＳ１０９）。図では移動局装置１はキャリア要素１の周波数に対して測定報告を送信しているが、接続中の別のキャリア要素２の周波数またはキャリア要素３の周波数で送信しても良い。測定報告は、例えばレイヤ３メッセージのＭｅａｓｕｒｅｍｅｎｔ  Ｒｅｐｏｒｔである。
【００９２】
図４は、本発明の第１の実施形態に係る移動局装置１のパラメータ調整処理を示すフローチャートである。パラメータ調整処理は、図３のイベント判定処理におけるキャリア要素（セル）毎に受信品質の比較を行なうときの処理の一部として実行される。移動局装置１は、キャリア要素情報から、測定対象セルがキャリア・アグリゲーションを用いて接続中であるかどうかを判定するセル判定処理を行なう（ステップＳ２０１）。例えば、移動局装置１は、図３におけるキャリア要素１の周波数とキャリア要素２の周波数との受信品質の比較であれば、測定対象セルがキャリア・アグリゲーションを用いて接続中であると判定し、パラメータ調整を行ない、調整後の値を使用する（ステップＳ２０３）。一方、移動局装置１は、図３におけるキャリア要素１の周波数とキャリア要素４の周波数との受信品質の比較であれば、測定対象セルがキャリア・アグリゲーションを用いて接続中ではないと判定し、パラメータ調整を行なわず、通知された値をそのまま使用する（ステップＳ２０５）。
【００９３】
ここで、パラメータ調整は、ハンドオーバーパラメータのいずれかを基地局装置３から通知された値と異なる値となるように修正することにより行なわれる。例えば、イベント用のオフセット値（Off）を大きくすることである。あるいは、周辺セルの受信品質を調
整するヒステリシス（Hysteresis）を小さくすることである。あるいは、イベント条件が成立するまでの所要時間を示す時間（TTT）を長くすることである。
【００９４】
また、この他のパラメータ調整の制御内容としては、当該イベント条件に新たなハンドオーバーパラメータを追加することにより、通知されたイベント条件を修正する方法がある。例えば、測定したキャリア要素の受信品質に対して、キャリア・アグリゲーションを用いて接続中のキャリア要素用のオフセット値（COff）を加えることである。また、上記の各ハンドオーバーパラメータ（TTT、Off、Hysteresis、COff）を、それぞれ無限大（infinity）とすることでパラメータ調整した場合においてイベント条件が成立しないようにしても良い。なお、通常よりイベント条件の成立が抑制されるようなパラメータの調整方法であれば、上記に示した修正の方法だけに限らず、いかなるパラメータの調整方法を用いても良い。
【００９５】
図５は、本発明の第１の実施形態に係る移動局装置１がキャリア要素（セル）の受信品質の比較を行なう際のパラメータ調整の有無を示す図である。セルＡ１〜セルＡ３は、空間的に同一エリアに配置され、互いに異なる周波数Ｆ１〜周波数Ｆ３で運用されるセルである。セルＢ１とセルＢ２も同様に、空間的に同一エリアに配置され、互いに異なる周波数Ｆ１〜周波数Ｆ２で運用されるセルである。このとき、セルＡ１とセルＡ２とが、ある移動局装置１に対してキャリア・アグリゲーションを用いて接続中である場合で、かつ移動局装置１がセルＡ１とセルＡ２との受信品質の比較を行なう場合、移動局装置１はパラメータ調整を行なう。移動局装置１はそれ以外のセルで受信品質を比較する場合、パラメータ調整を行なわない（例えばセルＡ１とセルＢ１との比較）。
【００９６】
このように、第１の実施形態では、イベント条件に用いるパラメータ調整が、キャリア・アグリゲーションを用いて接続中のキャリア要素毎に受信品質の比較を行なう際に実施される。すなわち、比較する２つのキャリア要素がキャリア・アグリゲーションを用いて接続中の場合、移動局装置１がパラメータ調整を行なうことによって、イベント条件の成立が当該キャリア要素では抑制されることになる。
【００９７】
以上のように、移動局装置１は、基地局装置３から通知されるハンドオーバーパラメータと、キャリア・アグリゲーションを用いて接続中であるかを示すキャリア要素情報とに基づいて適切にパラメータを調整する。よって、移動局装置１は、測定しているキャリア要素毎に適切にイベント条件を設定してイベント判定を行なうため、効率的なイベント判定を行なうことができる。移動局装置１がパラメータ調整を行なう場合はイベント条件の成立が通常時よりも抑制される。このように、不必要なイベント条件が成立しなくなり、イベント情報の報告の発生が抑制されるため、移動局装置１における消費電力を削減することができる。また、不要なハンドオーバー処理に伴う通信の切断確率ならびにハンドオーバー失敗確率が低下するため、移動局装置１における通信品質が向上する。また、イベント情報の報告のための無線リソースの消費が抑制されるため、無線リソースの利用効率が向上する。基地局装置３は、移動局装置１からの測定報告に基づきハンドオーバーを制御するため、複雑な制御が不要となり、スケジューリングの複雑性（Ｃｏｍｐｌｅｘｉｔｙ）が低減する。
【００９８】
＜第２の実施形態＞
本発明の第２の実施形態について以下に説明する。本実施形態は、移動局装置１が、各キャリア要素の受信品質の比較を行なうに際して基準となるセルを設定されているときに、移動局装置１が効率的にイベント判定を行なうためのイベント条件のパラメータ調整方法に関する。
【００９９】
本実施形態の基地局装置３と移動局装置１の構成は、第１の実施形態と同じで良いため、その説明を省略する。ただし、移動局装置１のイベント判定部に入力されるキャリア要素情報に、基準セル情報が含まれる点が異なる。また、本基地局装置３と本移動局装置１が配置される通信システムの通信ネットワーク構成および周波数帯域の対応関係は、それぞれ図１３と図１４に示したものと同様のものを適用できる。イベント判定に関するシーケンスチャートは図３と同じで良い。
【０１００】
移動局装置１がキャリア要素毎に受信品質の比較を行なうに際して基準となるキャリア要素（基準セル）は、アンカーコンポーネントキャリア（アンカー上りリンクコンポーネントキャリアとアンカー下りリンクコンポーネントキャリアのセット）、またはアンカーセルと呼ばれることもある。基準セルは、セル毎に共通であっても良いし、移動局装置１毎に個別に指定されても良い。基準セルは、基地局装置３から移動局装置１へ明示的に指定されても良いし、または暗黙的に指定されてもよい。移動局装置１が任意の方法で選択し、選択した結果を基地局装置３へ報告しても良い。移動局装置１は、基準セルであるキャリア要素のみ下りリンク共用制御チャネルを受信するかもしれないし、基準セルであるキャリア要素のみ下りリンクの受信品質の測定を行なうかもしれない。基地局装置３は、イベント条件を基準セルであるキャリア要素との比較のみに設定するかもしれない。このように、移動局装置１に対して基準セルを設定することによって、基準セルであるキャリア要素を中心とした測定方法が可能であるため、移動局装置１の測定処理に必要な制御が簡略化される。
【０１０１】
図６は、本発明の第２の実施形態に係る移動局装置１のパラメータ調整処理を示すフローチャートである。移動局装置１は、キャリア要素情報から、測定対象セルがキャリア・アグリゲーションを用いて接続中であるかどうかを判定するセル判定処理を行なう（ステップＳ３０１）。また、移動局装置１は基準セルがどのキャリア要素であるかを把握する。移動局装置１は、測定対象セルがキャリア・アグリゲーションを用いて接続中であれば、パラメータ調整を行ない、調整後の値を使用する（ステップＳ３０３）。一方、移動局装置１は、測定対象セルがキャリア・アグリゲーションを用いて接続中ではない場合、測定対象セルが基準セルとの比較であるかどうかを判定する（ステップＳ３０５）。測定対象セルが基準セルとの比較であれば、パラメータ調整を行なわず、通知された値をそのまま使用する（ステップＳ３０７）。
【０１０２】
すなわち、第２の実施形態におけるキャリア要素情報には、移動局装置１が受信品質の比較を行なうキャリア要素がキャリア・アグリゲーションを用いて接続中か否かの情報と、基準セルとを識別可能な情報が少なくとも含まれる必要がある。パラメータ調整の方法は第１の実施形態で説明した方法を用いることができるため、説明を省略する。
【０１０３】
図７は、本発明の第２の実施形態に係る移動局装置１がキャリア要素（セル）毎に受信品質の比較を行なう際のパラメータ調整の有無を示す図である。図７の各要素は図５と同じであるため詳細を略す。ただし、セルＡ２は基準セルである。このとき、セルＡ１とセルＡ２とが、ある移動局装置１に対してキャリア・アグリゲーションを用いて接続中である場合で、かつ移動局装置１がセルＡ１とセルＡ２との受信品質の比較を行なう場合、移動局装置１はパラメータ調整を行なう。移動局装置１がそれ以外のセルの受信品質を比較する場合、基準セルとの受信品質の比較であれば、移動局装置１はパラメータ調整を行なわない（例えばセルA2とセルB1との比較）。移動局装置１は基準セル以外との受信品質の比較を行なう場合、パラメータ調整を行なう（例えばセルA1とセルB2との比較）。
【０１０４】
このように、第２の実施形態では、イベント条件に用いるパラメータ調整が、キャリア・アグリゲーションを用いて接続中のキャリア要素毎に受信品質の比較を行なう際の他、移動局装置１が基準セル以外のキャリア要素同士の受信品質の比較を行なう際に実施される。すなわち、移動局装置１が比較する２つのキャリア要素がキャリア・アグリゲーションを用いて接続中の場合、またはどちらも基準セルでない場合、移動局装置１がパラメータ調整を行なうことによって、イベント条件の成立が当該キャリア要素では抑制されることになる。
【０１０５】
以上のように、移動局装置１は、基地局装置３から通知されるハンドオーバーパラメータと、移動局装置１が受信品質の比較を行なうキャリア要素がキャリア・アグリゲーションを用いて接続中であるか、および基準セルであるかを示すキャリア要素情報とに基づいて適切にパラメータを調整する。よって、移動局装置１は、測定しているキャリア要素毎に適切にイベント条件を設定してイベント判定を行なうため、効率的なイベント判定を行なうことができる。移動局装置１がパラメータ調整を行なう場合はイベント条件の成立が通常時よりも抑制される。このように、不必要なイベント条件が成立しなくなり、イベント情報の報告の発生が抑制されるため、移動局装置１における消費電力を削減することができる。また、不要なハンドオーバー処理に伴う通信の切断確率ならびにハンドオーバー失敗確率が低下するため、移動局装置１における通信品質が向上する。また、イベント情報の報告のための無線リソースの消費が抑制されるため、無線リソースの利用効率が向上する。基地局装置３は、移動局装置１からの測定報告に基づきハンドオーバーを制御するため、複雑な制御が不要となり、スケジューリングの複雑性が低減する。また、基準セルを用いることによって測定方法の簡略化が可能となり、移動局装置１または基地局装置３の制御の複雑さを低減できる。
【０１０６】
＜第３の実施形態＞
本発明の第３の実施形態について以下に説明する。本実施形態は、移動局装置１が各キャリア要素の受信品質の比較を行なうに際して、キャリア要素毎にイベント判定の有無を判定するイベント判定方法を示す。
【０１０７】
本実施形態の基地局装置３と移動局装置１の構成は、第１の実施形態と同じで良いため、その説明を省略する。移動局装置１のイベント判定部に入力されるキャリア要素情報に、基準セル情報が含まれても良いし、含まれなくても良い。また、本基地局装置３と本移動局装置１が配置される通信システムの通信ネットワーク構成および周波数帯域の対応関係は、それぞれ図１３と図１４に示したものと同様のものを適用できる。イベント判定に関するシーケンスチャートは図３と同じで良い。
【０１０８】
図８は、本発明の第３の実施形態に係る移動局装置１のパラメータ調整処理を示すフローチャートである。移動局装置１は、キャリア要素情報から、測定対象セルがキャリア・アグリゲーションを用いて接続中であるかどうかを判定するセル判定処理を行なう（ステップＳ４０１）。測定対象セルがキャリア・アグリゲーションを用いて接続中であれば、移動局装置１は、当該測定対象セルをイベント判定が不要なイベント非判定のセルであると判定し、当該測定対象セルの受信品質はイベント判定のために使用しない（ステップＳ４０３）。一方、測定対象セルがキャリア・アグリゲーションを用いて接続中でなければ、パラメータ調整を行なわず、通知された値をそのまま使用する（ステップＳ４０５）。
【０１０９】
図９は、本発明の第３の実施形態に係る移動局装置１において、基準セルが指定された場合の、パラメータ調整処理を示すフローチャートである。図９のフローチャートを用いて、第３の実施形態の移動局装置１におけるパラメータ調整処理の別の方法について説明する。移動局装置１は、キャリア要素情報から、測定対象セルがキャリア・アグリゲーションを用いて接続中であるかどうかを判定するセル判定処理を行なう（ステップＳ５０１）。また、基準セルがどのキャリア要素であるかを把握する。移動局装置１は、測定対象セルがキャリア・アグリゲーションを用いて接続中であれば、当該対象セルをイベント非判定のセルであると判定し、当該測定対象セルの受信品質はイベント判定のために使用しない（ステップＳ５０３）。一方、移動局装置１は、測定対象セルがキャリア・アグリゲーションを用いて接続中ではない場合、測定対象セルが基準セルとの比較であるかどうかを判定する（ステップＳ５０５）。移動局装置１は、測定対象セルが基準セルとの比較であれば、パラメータ調整を行なわず、通知された値をそのまま使用する（ステップＳ５０７）。
【０１１０】
なお、パラメータ調整処理において、移動局装置１が測定対象セルをイベント非判定のセルと判定した場合の移動局装置１の制御として、基地局装置３から通知されたイベント条件が成立したときに移動局装置１が基地局装置３へ当該イベント条件の成立を報告しない方法であれば、他の方法を用いても良い。例えば、移動局装置１はイベント判定を通常通り行なうが、イベント非判定のセルでイベント条件が成立したことを基地局装置３に報告しないなどの方法を用いても良い。
【０１１１】
基地局装置３は、本パラメータ調整処理の有無をセル毎に明示的に指定することも可能である。例えば、基地局装置３は、あるセルについては特定のイベント条件にのみ本パラメータ調整処理方法を適用し、それ以外のイベント条件では適用しないという指定も可能である。
【０１１２】
図１０は、本発明の第３の実施形態に係る基地局装置３が移動局装置１にイベント条件を通知する際に、イベント条件毎にパラメータ調整処理の実施の有無を行なうセルを指定するために参照されるテーブルの一例である。なお、基地局装置３は、図１０に示すテーブルを、報知情報を用いてセル内の移動局装置１に通知しても良いし、移動局装置１毎に個別に通知しても良いし、イベント条件を移動局装置１毎に通知するに際して通知するイベント条件毎に通知しても良い。後者の好適な通知方法は、基地局装置３がイベント条件を移動局装置１に通知する際に使用される測定制御情報に、イベント非判定のセルを示すセルＩＤ、または複数のセルＩＤを示すセルＩＤグループ（連続するセルIDの始まりと終わりを示す範囲指定でも良い）を、設定するイベント条件毎に指定して図１０に示すテーブルを移動局装置１に通知することである。すなわち、基地局装置３は、指定した一つ以上のセルＩＤに対して移動局装置１にイベント判定を行なわせるか否かを指定するイベント判定情報を設定し、当該イベント判定情報を測定制御情報と共に移動局装置１に送信する。
【０１１３】
このように、第３の実施形態では、イベント判定が、キャリア・アグリゲーションを用いて接続中のキャリア要素毎に受信品質の比較を移動局装置１が行なう際に実施されない。すなわち、移動局装置１が比較する２つのキャリア要素がキャリア・アグリゲーションを用いて接続中の場合、移動局装置１がイベント判定を行なわないことによって、イベント条件の成立が当該キャリア要素では抑制されることになる。
【０１１４】
以上のように、移動局装置１は、移動局装置１が受信品質の比較を行なうキャリア要素がキャリア・アグリゲーションを用いて接続中であるかを示すキャリア要素情報に基づいてイベント判定の有無を判定する。よって、移動局装置１は、測定しているキャリア要素毎にイベント条件を設定してイベント判定を行なうため、効率的なイベント判定を行なうことができる。移動局装置１がイベント判定を行なわない場合はイベント条件の成立が通常時よりも抑制される。このように、不必要なイベント条件が成立しなくなり、イベント報告の発生が抑制されるため、移動局装置１における消費電力を削減することができる。また、不要なハンドオーバー処理に伴う通信の切断確率ならびにハンドオーバー失敗確率が低下するため、移動局装置１における通信品質が向上する。また、イベント報告のための無線リソースの消費が抑制されるため、無線リソースの利用効率が向上する。また、基地局装置３は、移動局装置１に対してセル毎にイベント判定の有無を明示的に指定可能であるため、実際の基地局装置３の配置に即した柔軟なハンドオーバー制御を行なうことができる。
【０１１５】
＜第４の実施形態＞
本発明の第４の実施形態について以下に説明する。本実施形態は、高速移動中の移動局装置１が各キャリア要素の受信品質の比較を行なう場合のイベント判定方法を示す。本実施形態の基地局装置３と移動局装置１の構成は、第１の実施形態と同じで良いため、その説明を省略する。移動局装置１のイベント判定部に入力されるキャリア要素情報に、基準セル情報が含まれても良いし、含まれなくても良い。また、本基地局装置３と本移動局装置１が配置される通信システムの通信ネットワーク構成および周波数帯域の対応関係は、それぞれ図１３と図１４に示したものと同様のものを適用できる。イベント判定に関するシーケンスチャートは図３と同じで良い。
【０１１６】
移動局装置１は、イベント判定においてイベント条件が成立するまでの所要時間（TTT
）を、移動速度情報とスケーリング係数と、キャリア要素情報に基づいて調整する。移動局装置１は、第１の実施形態または第２の実施形態において「パラメータ調整あり」と判定されたキャリア要素では、スケーリング係数に基づくＴＴＴの値の短縮（または延長）を行なわない。本実施形態は、本実施形態のみをパラメータ調整の方法として適用することも可能であるし、第１の実施形態または第２の実施形態と組み合わせて適用することも可能である。第１の実施形態または第２の実施形態と組み合わせて適用する場合、第１の実施形態または第２の実施形態におけるパラメータ調整処理は、ＴＴＴ以外のパラメータに対して行なわれることが望ましい。
【０１１７】
このように、第４の実施形態では、高速移動中の移動局装置１は、キャリア・アグリゲーションを用いて接続中のキャリア要素の受信品質の比較を行なう際に適用されるスケーリング係数を適用しない。すなわち、移動局装置１が比較する２つのキャリア要素がキャリア・アグリゲーションを用いて接続中の場合、移動局装置１がスケーリング係数を適用しないことによって、イベント条件の成立が当該キャリア要素では抑制されることになる。
【０１１８】
以上のように、高速移動中の移動局装置１は、基地局装置３から通知されるハンドオーバーパラメータと、移動局装置１が受信品質の比較を行なうキャリア要素がキャリア・アグリゲーションを用いて接続中であるかを示すキャリア要素情報とに基づいて適切にパラメータを調整する。よって、移動局装置１は、測定しているキャリア要素毎にイベント条件を設定してイベント判定を行なうため、効率的なイベント判定を行なうことができる。移動局装置１がパラメータ調整を行なう場合はイベント条件の成立が通常時よりも抑制される。このように、不必要なイベント条件が成立しなくなり、イベント情報の報告の発生が抑制されるため、移動局装置１における消費電力を削減することができる。また、不要なハンドオーバー処理に伴う通信の切断確率ならびにハンドオーバー失敗確率が低下するため、移動局装置１における通信品質が向上する。また、イベント情報の報告のための無線リソースの消費が抑制されるため、無線リソースの利用効率が向上する。
【０１１９】
以上、キャリア・アグリゲーションにより一つまたは複数のキャリア要素を用いて基地局装置３と接続中の移動局装置１における不要なハンドオーバーに関するイベント条件を抑制するための方法について述べたが、本発明の適用範囲はハンドオーバーに関するイベント条件に限らず、基地局装置３から移動局装置１に通知される全てのイベント条件に対しても適用可能である。抑制の対象となるイベント条件は、基地局装置３が個別に指定することも可能である。
【０１２０】
なお、以上説明した実施形態は単なる例示に過ぎず、様々な変形例、置換例を用いて実現することができる。説明の便宜上、実施形態の移動局装置１および基地局装置３を機能的なブロック図を用いて説明したが、移動局装置１および基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置１や基地局装置３の制御を行なっても良い。なお、ここでいう「コンピュータシステム」とは、ＯＳや周辺機器等のハードウェアを含むものとする。
【０１２１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１２２】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１２３】
１  移動局装置
３  基地局装置
１０１  受信部
１０３  復調部
１０５  復号部
１０７  上位レイヤ
１０９  符号部
１１１  変調部
１１３  ＲＳ生成部
１１５  多重部
１１７  送信部
１１９  制御部
２０１  受信部
２０３  復調部
２０５  復号部
２０７  測定処理部
２０９  イベント判定部
２１１  ランダムアクセス生成部
２１３  符号部
２１５  変調部
２１７  送信部
２１９  送信帯域設定部
２２１  制御部
２２３  上位レイヤ
２２５  セル判定部
【図１】
0005635568.tif 000002
【図２】
0005635568.tif 000003
【図３】
0005635568.tif 000004
【図４】
0005635568.tif 000005
【図５】
0005635568.tif 000006
【図６】
0005635568.tif 000007
【図７】
0005635568.tif 000008
【図８】
0005635568.tif 000009
【図９】
0005635568.tif 000010
【図１０】
0005635568.tif 000011
【図１１】
0005635568.tif 000012
【図１２】
0005635568.tif 000013
【図１３】
0005635568.tif 000014
【図１４】
0005635568.tif 000015